【事件の表示】
　特願２０１５−１８９３６３「はんだ付けシステム」拒絶査定不服審判事件〔平成２９年　４月　６日出願公開、特開２０１７−　６９２３７〕について、次のとおり審決する。
【結　論】
　本件審判の請求は、成り立たない。
【理　由】
第１　手続の経緯
　本願は、平成２７年９月２８日の出願であって、同年１１月２０日付けで拒絶理由が通知され、同年１２月２４日に意見書が提出されるとともに手続補正がされ、平成２８年３月２３日付けで最後の拒絶理由が通知され、同年５月１１日に意見書が提出されるとともに手続補正がされたが、同年８月４日付けで、同年５月１１日付けの手続補正は補正の却下の決定により却下されるとともに拒絶査定（発送日：同年８月９日）がされ、これに対し、同年１０月６日に拒絶査定不服審判が請求されると同時に手続補正がされたものである。
　　　　　
第２　平成２８年１０月６日付けの手続補正についての補正却下の決定
［補正却下の結論］
　平成２８年１０月６日付けの手続補正（以下「本件補正」という）を却下する。
　　　　　
［理由］
　１　補正後の発明
　本件補正により、特許請求の範囲の請求項１は、
「はんだ付け室内の中央に設けられる搬送ロボットの設置部と、
　前記搬送ロボットで搬送されるプリント基板にフラックス塗布するフラックス塗布装置と、
　フラックス塗布された前記プリント基板を加熱するプリヒータと、
　加熱された前記プリント基板にはんだ付けするはんだ付け装置と、
　はんだ付けされた前記プリント基板の冷却装置と、
　前記搬送ロボットに前記プリント基板を渡す搬入レールと、
　前記搬送ロボットから前記プリント基板を受け取る搬出レールとを備え、
　少なくとも前記フラックス塗布装置、前記プリヒータ及び前記はんだ付け装置は、前記搬送ロボットの可動域内に配置され、
　
前記フラックス塗布装置、前記プリヒータ及び前記はんだ付け装置は、前記はんだ付け室内に収容され、
　前記設置部及び前記プリヒータを挟む位置に前記フラックス塗布装置と前記はんだ付け装置が配設され
、
　
前記搬入レールと前記搬出レールは、前記はんだ付け室の同一の側方から前記はんだ付け室内に延びるように平行に設けられ、
　前記冷却装置は、前記搬出レールの下に設けられ
と補正された（下線は請求人が付与）。
　　　　　
　本件補正は、請求項１に記載した発明を特定するために必要な事項である、フラックス塗布装置、プリヒータ及びはんだ付け装置について「前記フラックス塗布装置、前記プリヒータ及び前記はんだ付け装置は、前記はんだ付け室内に収容され」との限定、並びに搬入レール及び搬出レールについて「前記搬入レールと前記搬出レールは、前記はんだ付け室の同一の側方から前記はんだ付け室内に延びるように平行に設けられ」との限定（以下「限定事項」という）を付すものであり、かつ、補正後の請求項１に記載される発明は、補正前の請求項１に記載された発明と、産業上の利用分野及び解決しようとする課題が同一であるので、本件補正は、特許法第１７条の２第５項第２号に掲げる特許請求の範囲の減縮を目的とするものに該当する。
　そこで、本件補正後の請求項１に記載された発明（以下「本願補正発明」という）が特許出願の際独立して特許を受けることができるものであるか（特許法第１７条の２第６項において準用する同法第１２６条第７項の規定に適合するか）について以下に検討する。
　　　　　
　２　引用文献及びその記載事項
（１）　原査定の拒絶の理由に引用され、本願の出願前に頒布された刊行物である特開２００２−２７１０１２号公報（以下「引用文献１」という）には、図面とともに次の事項が記載されている。
　　　　　
　ア　「【００２７】
【発明の実施の形態】本発明のはんだ付けシステムは、次のような実施形態例において実施することができる。なお、被はんだ付けワークは多数の電子部品を搭載したプリント配線板である。
（１）構成
図１および図２を参照して、本発明にかかるはんだ付けシステムの実施形態例を説明する。図１は、プリント配線板の搬送装置として工業用ロボットを使用したはんだ付けシステムの構成を示す平面図で、制御系はシンボル図で示してある。また、図２は、工業用ロボットおよびその搬送平面の仰角を調節する機構を説明するための図で、工業用ロボットを図１の右側から見た図である。」
　　　　　
　イ　「【００３０】この工業用ロボット３は基台１１の上に固定されていて、この基台１１の一端側１１ａが軸受け１２に挿通された支軸１３を中心として図２の矢印ｆ方向に旋回することにより、工業用ロボット３のＡ軸４を矢印ｅ方向に傾斜させることができるように構成してある。すなわち、軸受け１３と対向する側の基台１１の他端側１１ｂには減速用のギア１４ａおよび回転エンコーダ１４ｂ（絶対値検出型）を備える仰角調節用のモータ１４に駆動された送りねじ１５が設けてあり、この機構により、工業用ロボット３のＡ軸４を矢印ｅ方向に傾斜させる程度を調節する構成である。」
　　　　　
　ウ　「【００３１】そして、ローダ１６に搬入されたプリント配線板１はハンドリング装置２に保持され、工業用ロボット３により噴霧式フラックス塗布装置１８（フラックス塗布工程）→予備加熱装置１９（予備加熱工程）→はんだ付け装置２０（はんだ付け工程）の順に搬送し、一連のはんだ付け作業が終了した後にアンローダ１７に搬出される。」
　　　　　
　エ　上記「ウ」の記載及び【図１】の記載に照らすと、噴霧式フラックス塗布装置１８、予備加熱装置１９及びはんだ付け装置２０は、工業用ロボット３の可動域内に配置されているといえる。
　また、【図１】を参照すると、噴霧式フラックス塗布装置１８、予備加熱装置１９及びはんだ付け装置２０の中央に工業用ロボット３の基台１１があり、基台１１及び予備加熱装置１９を挟む位置に噴霧式フラックス塗布装置１８とはんだ付け装置２０が配設されていることが看取される。
　　　　　
　上記の記載事項、認定事項及び図面の記載を総合すると、引用文献１には、本願補正発明の記載ぶりに則って整理すると、「はんだ付けシステム」に関して、次の発明（以下「引用発明」という）が記載されている。
「噴霧式フラックス塗布装置１８、予備加熱装置１９及びはんだ付け装置２０の中央に設けられる工業用ロボット３の基台１１と、
　前記工業用ロボット３で搬送されるプリント配線基板１にフラックス塗布する噴霧式フラックス塗布装置１８と、
　フラックス塗布された前記プリント配線基板１を加熱する予備加熱装置１９と、
　加熱された前記プリント配線基板１にはんだ付けするはんだ付け装置２０と、
　前記工業用ロボット３に前記プリント配線基板１を渡すローダ１６と、
　前記工業用ロボット３から前記プリント配線基板１を受け取るアンローダ１７とを備え、
　少なくとも前記噴霧式フラックス塗布装置１８、前記予備加熱装置１９及び前記はんだ付け装置２０は、前記工業用ロボット３の可動域内に配置され、
　前記基台１１及び前記予備加熱装置１９を挟む位置に前記噴霧式フラックス塗布装置１８と前記はんだ付け装置２０が配設される、
　はんだ付けシステム。」
　　　　　
（２）　原査定の拒絶の理由に引用され、本願の出願前に頒布された刊行物である特許第５２７９６０６号公報（以下「引用文献２」という）には、図面とともに次の事項が記載されている。
　　　　　
　ア　「【００１４】
　［はんだ付け装置１の構成例］  
　図１に示すように、はんだ付け装置１は、第１の噴流はんだ槽（以下、噴流はんだ槽５という），第２の噴流はんだ槽（以下、噴流はんだ槽６という）、搬送部の一例である搬送ロボット８、遮蔽部材の一例である第１の保護シャッタ（以下、シャッタ１１という）、第２の保護シャッタ（以下、シャッタ１２という）、第３の保護シャッタ（以下、シャッタ１３という）及び第４の保護シャッタ（以下、シャッタ１４という）で構成される。はんだ付け装置１は、さらに、搬送レール部２、フラクサ部３、プリヒータ部４、冷却部７及び制御部９を備える。
【００１５】
　搬送レール部２は、各種電子部品が実装されたプリント基板を搬送する。搬送レール部２は、例えば、図示しない複数のプッシャを一定の間隔に設け、プリント基板を取り付けた搬送トレイを搬送方向に当該プッシャで押し当てて搬送する所謂タクト式のものである。また、搬送レール部２は、例えば、図示しない複数の搬送爪を一定の間隔で隣接させ、当該搬送爪によってプリント基板の端を挟持して搬送しても良い。
【００１６】
　搬送レール部２は、第１の搬送レール（以下、搬送レール２ａという）及び第２の搬送レール（以下、搬送レール２ｂという）を有する。搬送レール２ａ及び搬送レール２ｂは互いに並行に設けられる。搬送レール２ａは、プリント基板をはんだ付け装置１に搬入してフラクサ部３及びプリヒータ部４に搬送する。搬送レール２ｂは、プリント基板を冷却部７に搬送してはんだ付け装置１から搬出する。」
　　　　　
　イ　「【００３４】
　まず、シャッタ１１，１２，１３，１４が開放されて噴流はんだ槽５，６が使用可能な場合について説明する。図３に示すように、プリント基板Ｐ１を搬送レール部２の搬送レール２ａに搬入する。プリント基板Ｐ１は、搬送レール２ａによってフラクサ部３に搬送される。フラクサ部３では、例えば、プリント基板に実装される電子部品がそれぞれ離れた箇所にある場合、フラクサ３ａで所定の箇所にフラックスが塗布され、フラクサ３ｂで所定の箇所以外の箇所にフラックスが塗布される。このように、フラクサ３ａ，３ｂでフラックスを塗布する箇所をそれぞれ変えると、効率的にフラックスを塗布することができ、作業時間を短縮することができる。
【００３５】
　フラクサ部３でフラックスが塗布されたプリント基板Ｐ１は、搬送レール２ａによってプリヒータ部４に搬送される。プリヒータ部４では、プリント基板Ｐ１に塗布されたフラックスを乾燥し、プリント基板Ｐ１を所定の温度まで加熱される。プリヒータ部４で所定の温度まで加熱されたプリント基板Ｐ１は、搬送ロボット８によって噴流はんだ槽５及び／又は噴流はんだ槽６に搬送される。
【００３６】
　噴流はんだ槽５，６によるはんだ付け処理は、例えば、噴流はんだ槽５によってプリント基板Ｐ１の所定の箇所にはんだを形成させ、そのプリント基板Ｐ１を搬送ロボット８によって噴流はんだ槽６に搬送させ、噴流はんだ槽６によってプリント基板Ｐ１の所定の箇所以外の箇所にはんだを形成させ、そのプリント基板Ｐ１を搬送ロボット８によって搬送レール２ｂに搬送させる。なお、はんだ付け処理は、噴流はんだ槽５によってプリント基板Ｐ１の所定の箇所にはんだを形成させ、そのプリント基板Ｐ１を搬送ロボット８によって搬送レール２ｂに搬送させても良い。
【００３７】
　噴流はんだ槽５，６ではんだ付け処理されたプリント基板Ｐ１は、搬送レール２ｂによって冷却部７に搬送される。冷却部７では、冷却ファン７ａ，７ｂ，７ｃによってプリント基板Ｐ１が所定の温度まで冷却される。」
　　　　　
　ウ　【図１】を参照すると、プリント基板をはんだ付け装置１に搬入する搬送レール２ａと、プリント基板をはんだ付け装置１から搬出する搬送レール２ｂは、はんだ付け装置１の一方向（【図１】の下方）からはんだ付け装置１内に延びるように平行に設けられていることが看取される（以下「引用文献２に記載された事項の１」という）。
　また、上記「イ」の段落【００３７】及び【図１】の記載に照らすと、プリント基板の冷却部７の冷却ファン７ａ、７ｂ、７ｃは、搬送レール２ｂの位置に設けられている（以下「引用文献２に記載された事項の２」という）。
　　　　　
　３　対比
　本願補正発明と引用発明とを対比する。
　引用発明の「工業用ロボット３」は、本願補正発明の「搬送ロボット」に相当する。
　以下、同様に「基台１１」は、「設置部」に、
　「プリント配線基板１」は、「プリント基板」に、
　「噴霧式フラックス塗布装置１８」は、「フラックス塗布装置」に、
　「予備加熱装置１９」は、「プリヒータ」に、
　「はんだ付け装置２０」は、「はんだ付け装置」に、それぞれ相当する。
　　　　　
　引用発明の「ローダ１６」と、本願補正発明の「搬入レール」とは、「搬入装置」である点で共通する。
　また、引用発明の「アンローダ１７」と、本願補正発明の「搬出レール」とは、「搬出装置」である点で共通する。
　　　　　
　以上のことから、本願補正発明と引用発明とは次の点で一致する。
「中央に設けられる搬送ロボットの設置部と、
　前記搬送ロボットで搬送されるプリント基板にフラックス塗布するフラックス塗布装置と、
　フラックス塗布された前記プリント基板を加熱するプリヒータと、
　加熱された前記プリント基板にはんだ付けするはんだ付け装置と、
　前記搬送ロボットに前記プリント基板を渡す搬入装置と、
　前記搬送ロボットから前記プリント基板を受け取る搬出装置とを備え、
　少なくとも前記フラックス塗布装置、前記プリヒータ及び前記はんだ付け装置は、前記搬送ロボットの可動域内に配置され、
　前記設置部及び前記プリヒータを挟む位置に前記フラックス塗布装置と前記はんだ付け装置が配設される、
　はんだ付けシステム。」　
　　　　　
　一方で、両者は次の点で相違する。
［相違点１］
　本願補正発明では、搬送ロボットの設置部が「はんだ付け室内の中央に設けられ」、「前記フラックス塗布装置、前記プリヒータ及び前記はんだ付け装置は、前記はんだ付け室内に収容され」ているのに対して、
　引用発明では、工業用ロボット３の基台１１は、噴霧式フラックス塗布装置１８、予備加熱装置１９及びはんだ付け装置２０の中央に設けられてはいるものの、はんだ付け室があるか否かは明らかでない点。
　　　　　
［相違点２］
　本願補正発明では、「はんだ付けされた前記プリント基板の冷却装置」を備え、搬入装置及び搬出装置が、それぞれ「搬入レール」及び「搬出レール」であり、「前記搬入レールと前記搬出レールは、前記はんだ付け室の同一の側方から前記はんだ付け室内に延びるように平行に設けられ、前記冷却装置は、前記搬出レールの下に設けられる」のに対して、
　引用発明では、冷却装置を備えているかどうか明らかでなく、搬入装置及び搬出装置が、それぞれローダ１６及びアンローダ１７である点。
　　　　　
　４　判断
　上記相違点について検討する。
［相違点１］について
　フラックス塗布装置、プリヒータ及びはんだ付け装置を備えるはんだ付けシステムを一つの室内に収容することは、例えば特開平５−５０２２５号公報（特に、【図７】の機枠３を参照）、特開平９−１９９８４４号公報（特に、【図２】を参照）、特開２００３−１７８４６号公報（特に、【図１】及び【図２】を参照）、及び特開２０００−２３６１６４号公報（特に、【図１】及び【図２】の筐体１を参照）に記載されているように、本願出願前に慣用技術である。
　そして、引用発明において、上記慣用技術に倣って、噴霧式フラックス塗布装置１８、予備加熱装置１９及びはんだ付け装置２０を一つの室内に収容すると、「前記フラックス塗布装置、前記プリヒータ及び前記はんだ付け装置は、前記はんだ付け室内に収容され」るとともに、搬送ロボットの設置部が、「はんだ付け室内の中央に設けられ」ることとなる。
　そうすると、引用発明において相違点１に係る本願補正発明の構成とすることは、上記慣用技術から、当業者が容易に想到し得たことである。
　　　　　
［相違点２］について
　引用文献２に記載された事項の１の、「プリント基板をはんだ付け装置１に搬入する搬送レール２ａ」及び「プリント基板をはんだ付け装置１から搬出する搬送レール２ｂ」は、本願補正発明の「搬入レール」及び「搬出レール」にそれぞれ相当する。
　また、引用文献２に記載された事項の１の「はんだ付け装置１」は、その内部にフラックスを塗布するフラクサ部３（フラックス塗布装置）、プリヒータ部４（プリヒータ）及び噴流はんだ槽５、６（はんだ付け装置）を備えているという限りにおいて、本願補正発明の「はんだ付け室」に相当する。
　したがって、引用文献２に記載された事項の１には、搬入レールと搬出レールは、はんだ付け室の同一の側方からはんだ付け室内に延びるように平行に設けられることが記載されているといえる。
　　　　　
　また、はんだ付け装置では、通常は、基板の下面がはんだ付けされ、該はんだ付けされた基板の下面を冷却するから、引用文献２に記載された事項の２において、プリント基板の冷却部７の冷却ファン７ａ、７ｂ、７ｃは、搬送レールの下に設けられていると解される。
　ここで、引用文献２に記載された事項の２の「プリント基板の冷却部７の冷却ファン７ａ、７ｂ、７ｃ」及び「搬送レール２ｂ」は、本願補正発明の「はんだ付けされたプリント基板の冷却装置」及び「搬出レール」にそれぞれ相当する。
　したがって、引用文献２に記載された事項の２には、はんだ付けされたプリント基板の冷却装置を搬出レールの下に設けることが記載されているといえる。
　　　　　
　引用発明と引用文献２に記載された事項の１及び２は、フラックス塗布装置、プリヒータ及びはんだ付け装置を備えるはんだ付けシステムという同じ技術分野に属する技術であり、プリント基板をはんだ付けシステムに搬入及び搬出するという共通の作用、機能を有するものである。
　そうすると、引用発明において、その搬入装置及び搬出装置として、搬入レール及び搬出レールを用い、搬入レールと搬出レールは、はんだ付け室の同一の側方からはんだ付け室内に延びるように平行に設けるとともに、はんだ付けされたプリント基板の冷却装置を搬出レールの下に設けることにより、相違点２に係る本願補正発明の構成とすることは、引用文献２に記載された事項の１及び２から、当業者が容易に想到し得たことである。
　　　　　
　そして、本願補正発明が奏する作用効果は、引用発明、引用文献２に記載された事項の１及び２、並びに慣用技術からから当業者であれば予測できる程度のものであって、格別のものとはいえない。 
　　　　　
　以上のことから、本願補正発明は、引用発明、引用文献２に記載された事項の１及び２、並びに慣用技術に基いて、当業者が容易に発明をすることができたものであるから、特許法第２９条第２項の規定により特許出願の際独立して特許を受けることができないものである。 
 　　　　　 
　５　小括  
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
 　　　　　 
第３　本願発明について  
　１　本願発明 
　平成２８年１０月６日付けの手続補正は上記のとおり却下された（なお、平成２８年５月１１日付けの手続補正は、平成２８年８月４日付けで決定をもって却下されている。）ので、本願の請求項１〜５に係る発明は、平成２７年１２月２４日の手続補正により補正された特許請求の範囲の請求項１〜５に記載された事項により特定されるとおりのものと認められ、そのうちの請求項１に係る発明（以下「本願発明」という）は、次のとおりである。
「はんだ付け室内の中央に設けられる搬送ロボットの設置部と、
　前記搬送ロボットで搬送されるプリント基板にフラックス塗布するフラックス塗布装置と、
　フラックス塗布された前記プリント基板を加熱するプリヒータと、
　加熱された前記プリント基板にはんだ付けするはんだ付け装置と、
　はんだ付けされた前記プリント基板の冷却装置と、
　前記搬送ロボットに前記プリント基板を渡す搬入レールと、
　前記搬送ロボットから前記プリント基板を受け取る搬出レールとを備え、
　少なくとも前記フラックス塗布装置、前記プリヒータ及び前記はんだ付け装置は、前記搬送ロボットの可動域内に配置され、
　前記冷却装置は、前記搬出レールの下に設けられ、
　前記設置部及び前記プリヒータを挟む位置に前記フラックス塗布装置と前記はんだ付け装置が配設されるはんだ付けシステム。」
　　　　　
　２　引用文献及びその記載事項 
　原査定の拒絶の理由に引用された引用文献、その記載事項及び引用発明は、前記「第２　２」に記載したとおりである。  
　　　　　 
　３　対比・判断  
　本願発明は、前記「第２」で検討した本願補正発明から、前記限定事項を省いたものに相当する。  
　そうすると、本願発明の構成要件をすべて含み、さらに前記限定事項を付加したものに相当する本願補正発明が、前記「第２　３及び４」に記載したとおり、引用発明、引用文献２に記載された事項の１及び２、並びに慣用技術に基いて、当業者が容易に発明をすることができたものであるから、本願発明も同様の理由により、当業者が容易に発明をすることができたものである。
　　　　　 
　４　小括
　したがって、本願発明は、引用発明、引用文献２に記載された事項の１及び２、並びに慣用技術に基いて当業者が容易に発明をすることができたものであり、特許法第２９条第２項の規定により特許を受けることができない。
　　　　　
第４　むすび
　以上のとおり、本願発明は、特許法第２９条第２項の規定により特許を受けることができないから、他の請求項に係る発明について検討するまでもなく、本願は拒絶をすべきものである。 
　よって、結論のとおり審決する。